【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】
広角の映像を取得する第一の撮像手段と、
互いに異なる所定の領域が複数撮影された映像を同期的に取得する第二の撮像手段と、
前記第二の撮像手段により取得された映像の少なくとも一つ及び前記広角の映像を配信する配信手段とを有することを特徴とする映像配信システム。
【請求項２】
広角の映像を取得する第一の撮像手段と、
互いに異なる所定の領域が複数撮影された映像を同期的に取得する第二の撮像手段と、
前記広角の映像と前記第二の撮像手段により取得された各々の映像との対応関係を特定する特定手段と、
前記第二の撮像手段により取得された映像の少なくとも一つ及び前記広角の映像を配信する配信手段とを有することを特徴とする映像配信システム。
【請求項３】
前記第二の撮像手段は複数のカメラにより構成され、前記複数のカメラは各々識別子が付されており、
前記第一の撮像手段は、前記複数のカメラに付された識別子を撮影範囲に含み、
前記特定手段は、前記広角の映像において含まれる識別子の撮影位置に基づき、前記対応関係を特定するものであることを特徴とする請求項２に記載の映像配信システム。
【請求項４】
前記特定手段は、前記広角の映像と前記第二の撮像手段により取得された各々の映像との類似度に基づき、前記対応関係を特定するものであることを特徴とする請求項２に記載の映像配信システム。
【請求項５】
広角の映像を取得する第一の撮像手段と、
互いに異なる所定の領域が複数撮影された映像を同期的に取得する第二の撮像手段と、
前記第二の撮像手段により取得された複数の映像より所定の映像を選択する映像選択手段と、
前記映像選択手段により選択された所定の映像及び前記広角の映像を配信する配信手段とを有することを特徴とする映像配信システム。
【請求項６】
更に、音声を取得する複数の音声取得手段と前記複数の音声取得手段により取得された音声に基づいて音源の位置又は方向を検出する音源検出手段とを有し、
前記映像選択手段は、前記音源検出手段により出力された音源の位置若しくは方向に基づいて、前記所定の映像を選択するものであることを特徴とする請求項５に記載の映像配信システム。
【請求項７】
更に、前記広角の映像又は前記第二の撮像手段により取得された複数の映像における被写体の動きを検出する動き検出手段を有し、
前記映像選択手段は、前記動き検出手段により出力された被写体の動きに基づいて、前記所定の映像を選択するものであることを特徴とする請求項５或は６に記載の映像配信システム。
【請求項８】
コンピュータに、請求項１乃至７の何れか一に記載の映像配信システムの各手段に係る処理を実行させることを特徴とするプログラム。
【請求項９】
請求項１乃至７の何れか一に記載の映像配信システムの各手段に係る処理を実行するための、コンピュータ読み取り可能なプログラムソフトウェアを記録することを特徴とする記録媒体。
【手続補正２】
【補正対象書類名】明細書
【補正対象項目名】００１１
【補正方法】変更
【補正の内容】
【００１１】
【課題を解決するための手段】
請求項１に記載の発明は、映像配信システムであって、広角の映像を取得する第一の撮像手段と、互いに異なる所定の領域が複数撮影された映像を同期的に取得する第二の撮像手段と、前記第二の撮像手段により取得された映像の少なくとも一つ及び前記広角の映像を配信する配信手段とを有する。
【手続補正３】
【補正対象書類名】明細書
【補正対象項目名】００１２
【補正方法】変更
【補正の内容】
【００１２】
請求項１の発明により、広角の映像を取得する第１撮像部と、互いに異なる所定の領域が複数撮影された映像を同期的に取得する第２撮像部と、前記広角の映像及び前記第２撮像部により取得された映像の少なくとも一つを配信する配信部とを備えることにより、簡素な構成・処理で、広範囲の映像を取得・配信すると同時に、所望のシーンの映像を高い解像度で取得・配信することが可能となる。すなわち、第１の目的が達成される。
【手続補正４】
【補正対象書類名】明細書
【補正対象項目名】００１３
【補正方法】変更
【補正の内容】
【００１３】
請求項２に記載の発明は、映像配信システムであって、広角の映像を取得する第一の撮像手段と、互いに異なる所定の領域が複数撮影された映像を同期的に取得する第二の撮像手段と、前記広角の映像と前記第二の撮像手段により取得された各々の映像との対応関係を特定する特定手段と、前記第二の撮像手段により取得された映像の少なくとも一つ及び前記広角の映像を配信する配信手段とを有する。
【手続補正５】
【補正対象書類名】明細書
【補正対象項目名】００１４
【補正方法】変更
【補正の内容】
【００１４】
請求項３に記載の発明は、映像配信システムであって、前記第二の撮像手段は複数のカメラにより構成され、前記複数のカメラは各々識別子が付されており、前記第一の撮像手段は、前記複数のカメラに付された識別子を撮影範囲に含み、前記特定手段は、前記広角の映像において含まれる識別子の撮影位置に基づき、前記対応関係を特定するものである。
【手続補正６】
【補正対象書類名】明細書
【補正対象項目名】００１７
【補正方法】変更
【補正の内容】
【００１７】
請求項５に記載の発明は、映像配信システムであって、広角の映像を取得する第一の撮像手段と、互いに異なる所定の領域が複数撮影された映像を同期的に取得する第二の撮像手段と、前記第二の撮像手段により取得された複数の映像より所定の映像を選択する映像選択手段と、前記映像選択手段により選択された所定の映像及び前記広角の映像を配信する配信手段とを有する。
【手続補正７】
【補正対象書類名】明細書
【補正対象項目名】００１８
【補正方法】変更
【補正の内容】
【００１８】
請求項６に記載の発明は、映像配信システムであって、更に、音声を取得する複数の音声取得手段と前記複数の音声取得手段により取得された音声に基づいて音源の位置又は方向を検出する音源検出手段とを有し、前記映像選択手段は、前記音源検出手段により出力された音源の位置若しくは方向に基づいて、前記所定の映像を選択するものである。
【手続補正８】
【補正対象書類名】明細書
【補正対象項目名】００２４
【補正方法】変更
【補正の内容】
【００２４】
請求項８と９に記載の発明により、広角の映像を取得する第１撮像部と、互いに異なる所定の領域が複数撮影された映像を同期的に取得する第２撮像部と、前記広角の映像及び前記第２撮像部により取得された映像の少なくとも一つを配信する配信部とを備えることにより、簡素な構成・処理で、広範囲の映像を取得・配信すると同時に、所望のシーンの映像を高い解像度で取得・配信することが可能となる。すなわち、第１の目的が達成される。
請求項６に記載の発明は、映像配信システムであって、更に、音声を取得する複数の音声取得手段と前記複数の音声取得手段により取得された音声に基づいて音源の位置又は方向を検出する音源検出手段とを有し、前記映像選択手段は、前記音源検出手段により出力された音源の位置若しくは方向に基づいて、前記所定の映像を選択するものである。
【手続補正９】
【補正対象書類名】明細書
【補正対象項目名】０１５３
【補正方法】変更
【補正の内容】
【０１５３】
【発明の効果】
本発明によれば、広角の映像を取得する第１撮像部３１と、互いに異なる所定の領域が複数撮影された映像を同期的に取得する第２撮像部３２と、前記広角の映像及び前記第２撮像部３２により取得された映像の少なくとも一つを配信する配信部３５とを備えることにより、簡素な構成・処理で、広範囲の映像を取得・配信すると同時に、所望のシーンの映像を高い解像度で取得・配信することが可能となる。すなわち、第１の目的が達成される。